(57)【特許請求の範囲】
【請求項１】
シート材料が粘着、接着、溶接等によって屋根表面に固着するのに適した一方の面、そして他方の面が耐候性であって、略平らな表面を有する傾斜屋根（５）に四角形の屋根貫通要素である窓（４）、煙突、通気ダクト等を雨押さえするための前記シート材料からなる要素キットにおいて、
−第１ラインセグメント（Ｌ1）の端部から第１要素（１）の一縁部（７）へ収束して延びている２つの貫通切り込み（６）を備えた前記第１要素（１）、
−２つの貫通切り込み（１１，１２）を備えた第２要素（２ａ）で、これらの切り込みが第２ラインセグメント（Ｌ2）の各端部から前記第２ラインセグメント（Ｌ2）と鋭角（Ｖ21）の形成により前記第２要素（２ａ）の縁部（１３）に対して斜めに、そして前記第２ラインセグメント（Ｌ2）と鈍角または平角（Ｖ22）の形成により前記第２要素（２ａ）の縁部（１４）に対して斜めにまたは真っ直ぐに延びており、
−前記第２要素（２ａ）に対して線対称に設けられた要素（２ｂ）、
−第３ラインセグメント（Ｌ3）の各端部から第３ラインセグメント（Ｌ3）と鈍角または平角（Ｖ3）の形成により第３要素（３）のそれぞれの縁部（２０）へ延びている２つの貫通切り込み（１９）を備えた前記第３要素（３）からなることを特徴とする雨押さえ用要素キット。
【請求項２】
前記４つの要素（１，２ａ，２ｂ，３）が長方形であることを特徴とする請求項１に記載の雨押さえ用要素キット。
【請求項３】
少なくとも１つの前記要素（１，２ａ，２ｂ，３）がそれぞれのラインセグメント（Ｌ1；Ｌ2；Ｌ3）を横切って小さく重なり合っている要素に分割されることを特徴とする請求項１または２のいずれか１項に記載の雨押さえ用要素キット。
【請求項４】
前記鋭角（Ｖ1，Ｖ21）が略４５°であることを特徴とする請求項１ないし３のいずれか１項に記載の雨押さえ用要素キット。
【請求項５】
２つの半体を有する要素（１’）からなり、一方の半体が第１要素を構成し、かつ他方の半体が第３要素を構成し、および／または２つの半体を有する要素（２ｃ）からなり、一方の半体が第２要素を構成し、かつ他方の半体が一方の半体に対し線対称に設けられていることを特徴とする請求項１ないし４のいずれか１項に記載の雨押さえ用要素キット。
【請求項６】
請求項１ないし４に記載の雨押さえ用要素キットであって、コンクリート製の略平らな表面を有する傾斜屋根（５）に四角形の屋根貫通要素である窓（４）、煙突、通気ダクト等を雨押さえするための雨押さえ方法において、
−前記第１要素が第１ラインセグメント（Ｌ1）に沿ってかつ前記第１ラインセグメント（Ｌ1）の端部から９０°の角度で延びているライン（１０）に沿って前記切り込み（６）により同一の側に屈曲され、上方に向かって屈曲された部分（８，９）が前記屋根貫通要素（４）の上方に延びている側面（３０，２７）に固定され、収束する切り込み間に位置決めされた前記部分（８）が側面（３０）に面した下方で固定され、それに続いて前記要素（１）の残りの部分（１）が粘着、接着、溶接等によって前記屋根表面（５）に固着され、
−前記第２要素（２ａ）が第２ラインセグメント（Ｌ2）に沿ってかつ前記第２ラインセグメント（Ｌ2）の同一端から９０°の角度で延びているライン（１８）に沿って鋭角を形成している切り込み（１１）により同一の側に屈曲され、上方に向かって屈曲された部分（１５，１７）が前記屋根貫通要素（４）の側面（２７，２８）に固定され、前記第２ラインセグメント（Ｌ2）に沿って位置決めされた部分（１５）が側面（３０）に面している下方で隣接して第２側面（２７）に固定されかつ鋭角を形成している前記切り込み（１１）が頂部となっており、そして前記第２ラインセグメント（Ｌ2）に沿って位置決めされる前記部分（１５）の下方端（１６）が前記屋根貫通要素（４）の側面（３０）に面している下方で屈曲されて固定され、それに続いて前記要素（２ａ）の残りの部分が粘着、接着、溶接等によって前記屋根面（５）に固着され、
−前記第２要素（２ａ）に対して線対称に設けられた前記要素（２ｂ）も同一の方法で固着され、そして
−前記第３要素（３）が前記第３ラインセグメント（Ｌ3）に沿って屈曲され、前記上方に屈曲された部分（２１）が前記屋根貫通要素（４）の側面（２８）に面している上方で固定されそして前記上方に向かって屈曲された部分（２１）の端部分（２３）が前記第２側面（２７）のまわりに屈曲されて固定され、それに続いて前記第３要素（３）の残りの部分が粘着、接着、溶接等により、前記屋根表面（５）に固定されることを特徴とする雨押さえ方法。
【請求項７】
前記屋根表面がコンクリートから作られ、前記要素（１，２ａ，２ｂ，３）がコンクリート表面（５）に直接固着されることを特徴とする請求項６に記載の雨押さえ方法。
【発明の詳細な説明】
【０００１】
【技術分野】
本発明は、シート材料が粘着、接着、溶接等によって屋根表面に固着するのに適した片側および耐候性の他方の側からなっている、略平らな表面を有する傾斜屋根に四角形の屋根貫通要素である窓、煙突、通気ダクト等を雨押さえするためのシート材料からなる雨押さえ用要素キットに関する。
【０００２】
本発明は、さらに、上述された型の要素キットによって、コンクリートから作られる、略平らな表面を有する傾斜屋根において、四角形の屋根貫通要素である窓、煙突、通気ダクト等を雨押さえするための雨押さえ方法に関する。
【０００３】
【背景技術】
デンマーク特許第９８９８２号は、「煙突の隅部、ドームライトフレームおよび雨押さえに使用するための屋根フェルトおよびビチューメンシートを備えた屋根上の同様な突起を雨押さえするための方法」を開示している。この刊行物によれば、突起（屋根貫通要素）の隅部はまず、閉止された隅部を形成するように屈曲されかつともに溶融されるフラップの形成のために細長く切られる、小さい織物補強のビチューメンシートによって被覆され、それに続いてビチューメンフェルトシートが取り付けられ、前記シートが隅部の前方にしかしそのまわりにでなく屋根貫通要素の両側に延びている。この特許に記載されていることは、屋根表面からかつ幾らか上方に向かって、屋根貫通要素の側面に沿って延びている屋根フェルト帯片を使用することは知られているということであり、そのさいその縁部で垂直面に沿って上方に延びている屋根フェルトの部分は縁部のまわりに屈曲され、帯片の引き裂きは垂直縁部が屋根面に合流する場所までなされる。
【０００４】
上述した方法は、さらに、アイコパル（Ｉｃｏｐａｌ）社の作業説明書から知られている。同一の作業説明書から、屋根貫通要素の寸法の測定を基礎にして、屋根フェルトから要素を切断することが知られており、それにより切り込みは要素の幾つかの端部において作られ、前記切り込みは、屋根貫通要素の隅部のまわりの要素の屈曲部分の端部分の折り曲げを可能にするように、前もって得られた折り込みラインの延長部分に延びている。
【０００５】
本発明の目的は、要素キットおよび屋根貫通要素を雨押さえするための方法を提供することにあり、前記要素キットは雨押さえを容易にしかつ完成した雨押さえが雨水等を通さないことを高い範囲で保証している。
【０００６】
【発明の開示】
この目的は、−第１ラインセグメントの端部から第１要素の一縁部へ収束して延びている２つの貫通切り込みを備えた前記第１要素、
−２つの貫通切り込みを備えた第２要素で、これらの切り込みが第２ラインセグメントの各端部から前記第２ラインセグメントと鋭角の形成により前記第２要素の縁部に対して斜めに、そして前記第２ラインセグメントと鈍角または平角の形成により前記第２要素の縁部に対して斜めにまたは真っ直ぐに延びており、
−前記第２要素に対して鏡面的に逆にされた（線対称に設けられた）要素、
−第３ラインセグメントの各端部から第３ラインセグメントと鈍角または平角の形成により第３要素の各それぞれの縁部へ延びている２つの貫通切り込みを備えた前記第３要素からなる要素キットによって達成される。
【０００７】
この方法において、要素キットは、取り付けられるとき、屋根貫通要素のまわりにカラーを形成し、そのさい種々の重なりとの間の接合部は、屋根上の水が接合部から離れてかつ接合部に入らずに流れようとするように下方に向かって向かい合っている。
【０００８】
第１および第３要素は、好ましくは、少なくとも切り込みおよび折り込み線に関連して、それぞれのラインセグメントのハーフライン垂線のまわりに対称であり、そして４つの要素は好ましくは長方形である。これは要素の製造を容易にかつ経済的にする。少なくとも１つの要素、およびとくに第２の要素およびそれに対して鏡面的に逆にされた（線対称に設けられた）要素はそれぞれのラインセグメントを横切ってより小さい要素に分割され、前記より小さい要素は取り付けられるとき互いに重なり合っている。
【０００９】
理解されるべきことは、第２要素に対して鏡面的に逆にされた（線対称に設けられた）要素によって第２の要素の貫通切り込みに対応する２つの貫通切り込みを有する要素が意味され、そのさい切り込みが鏡面的に逆にされた（線対称に設けられた）要素のラインセグメントと形成する角度は第２要素の刈り込みによって形成された角度と同一にされなくてもよい。同様に、鏡面的に逆にされた（線対称に設けられた）要素の外方寸法は第２要素の寸法と同一でなくてもよい。
【００１０】
前記鋭角は、好ましくは、略４５°であり、許容誤差は高い。
【００１１】
幾つかの隣接する屋根貫通要素である窓の雨押さえに使用するのに向けられるキットの実施例において、このキットは２つの半体を有する要素からなり、一方の半体が第１要素を構成し、他方の半体が第３要素を構成し、および／または２つの半体を有する要素からなり、その一方の半体が第２要素を構成し、かつ他方の半体がそれに対して鏡面的に逆にされている（線対称となっている）。これらのさらに他の要素は、それらが上方／下方または互いに続いて置かれるかに依存して隣接する窓間に使用される。前記キットはこの場合に必要に応じて手さらに第１、第２鏡面的に逆にされた（線対称である）、および第３要素により補完される。
【００１２】
本発明の目的は、第１要素が第１ラインセグメントに沿ってかつ前記第１ラインセグメントの端部から９０°の角度で延びているラインに沿って切り込みにより同一の側に屈曲され、上方に向かって屈曲された部分が前記屋根貫通要素の上方に延びている側面に固定され、収束する切り込み間に位置決めされた前記部分が下方に面している側面に固定され、それに続いて前記要素の残りの部分が粘着、接着、溶接等によって前記屋根表面に固着され、
−前記第２要素が第２ラインセグメントに沿ってかつ第２ラインセグメントの同一端から９０°の角度で延びているラインに沿って鋭角を形成している前記切り込みにより同一の側に屈曲され、上方に向かって屈曲された部分が前記屋根貫通要素の側面に固定され、前記第２ラインセグメントに沿って位置決めされた部分が側面に面している下方で隣接して第２側面に固定されかつ鋭角を形成している切り込み部分が頂部に置かれており、そして前記第２ラインセグメントに沿って位置決めされる部分の下方端が前記屋根貫通要素の下方に面している側面に向かって屈曲されかつそれに固定され、それに続いて前記要素の残りの部分が粘着、接着、溶接等によって前記屋根面に固着され、
−前記第２要素に対して線対称に設けられた前記要素が同一な方法で固着され、そして
−前記第３要素が前記第３ラインセグメントに沿って屈曲され、前記上方に屈曲された部分が前記屋根貫通要素の側面面している上方で固定されそして前記上方に向かって屈曲された部分の端部分が前記第２側面のまわりに屈曲されて固定され、それに続いて前記第３要素の残りの部分が粘着、接着、溶接等により、前記屋根表面に固定されることによって特徴付けられる方法によって達成される。
【００１３】
この方法の新規かつ特徴は、とくに、要素が最初に、本発明による要素により容易になされる、屋根貫通要素の側面に固定され、その後このように固定された要素が移動の危険なしに屋根表面に固着されるということである。
【００１４】
本方法は、例えば、上記の作業説明書から知られるように、コンクリート面にかつ予め配置された屋根フェルトにでなく直接固着される、コンクリート屋根に関連してとくに適する。
【００１５】
本発明を次に概略図面を参照して実施例の例として以下で詳細に説明する。
【００１６】
【発明を実施するための最良の形態】
図１は屋根表面と屋根貫通要素との間の密閉接続を確立するために、屋根貫通要素の下方に、その右方に、その左方にかつその上方に取り付けるのに向けられる屋根フェルト材料の４つの要素１，２ａ，２ｂ，３を示している。
【００１７】
図２ないし図５は屋根表面５を貫通している窓フレーム４の形状において屋根貫通要素を示しており、そのさい要素１，２ａ，２ｂ，３によって、雨押さえは屋根表面５上の水が下にある建物構造に貫通しなことを保証するように窓フレーム４と屋根表面５との間の密封を形成するように設けられ得る。
【００１８】
要素１，２ａ，２ｂ，３は、例えば、３層：砂で磨いたＳＢＳビチューメンの上方カバー層、ガラスフェルトと組み合わされたＳＢＳビチューメン含浸ポリエステルフェルトの中間に置かれた補強層および溶接可能なＳＢＳビチューメンの下方の特別に厚い層からなる、アイコパル・ベース５００（Ｉｃｏｐａｌ  Ｂａｓｅ）（商標）から作られ得る。この製品は本発明に関連してとくに適することが判明したが、同様な特性を備えた他の製品も利用され得る。
【００１９】
４つの要素は以下のように設計される。すなわち、
要素１はラインセグメントＬ1の各端部から要素１の側辺縁部７へ収束して延びている２つの貫通切り込み６を有している。それにより、細長いフラップ８が設けられ、前記フラップはラインセグメントＬ1に沿って延びており、そして２つの側フラップ８はそれらのそれぞれの切り込み６とそれに対して垂直にラインセグメントＬ1の端部点から延びているライン１０との間に延びている。切り込み６はラインセグメントＬ1に対して鋭角Ｖ1により延びており、Ｖ1は適切には４５°であるが、コンクリート角度は、それが鋭角でかつ０または９０°に近くないならばそれほど重要ではない。
【００２０】
要素２ａおよび２ｂは、図示実施例において、相対的に鏡面的に逆に設計されそしてラインセグメントＬ２ のそれぞれの端部点から延びている各々２つの貫通切り込み１１，１２を有している。切り込み１１はラインセグメントＬ2に対して鋭角Ｖ21により要素２ａ，２ｂの長手方向側辺縁部１３へ延びており、これに反して切り込み１２は実質上直角Ｖ22によりラインセグメントＬ2の１端から要素２ａ，２ｂの短い側辺縁部１４へ延びている。この方法において、細長いフラップ１５が設けられ、前記フラップはラインＬ2に沿って延びており、そしてそれ自体細長いフラップ１５の端部分から構成されかつラインセグメントＬ2の端部点から短い側辺縁部１４へ延びる端部フラップ１６が設けられ、この端部フラップは、後で見られるように、取り付けにおいて、ラインセグメントＬ2に対して略垂直に延びている折り込み線のまわりに折り込まれている。そのうえ、側辺フラップ１７が切り込み１１とこの切り込み１１においてその端部点からラインセグメントＬ2に対して垂直に延びているライン１８との間に設けられている。
【００２１】
要素３は、また、ラインセグメントＬ3の端部点から略直角Ｖ3により要素３の各それらのそれぞれの短い側辺２０へ各々延びている２つの貫通切り込み１９からなっている。この方法において、細長いフラップ２１が設けられ、前記フラップはラインセグメントＬ3と要素３の長手方向側辺縁部２２との間に延びている。そのうえ、２つの端部フラップ２３が設けられ、前記フラップはラインセグメントＬ3の各それらのそれぞれの端部点から隣接する短い側辺縁部２０へ延びており、細長いフラップ２１の端部分は取り付けにおいて、以下で見られるよう、ラインセグメントＬ3の各それらのそれぞれの端部点から略垂直に延びているライン２４に沿って折り込まれる。
【００２２】
要素１および要素３は、図示実施例において、それぞれのラインセグメントＬ1，Ｌ3に対して垂直のハーフラインのまわりに対称的に設計され、そしてすべての要素１，２ａ，２ｂ，３は長方形である。しかしながら、他の形状が、また、可能であり、とくに、要素の外方寸法が他の型の雨押さえから知られるように対称である、幾つかの隣接する窓の雨押さえに関連して関心がある。
【００２３】
要素１，２ａ，２ｂ，３の取り付けは以下のように実施される、すなわち、
要素１は図２に示されるように置かれる。ラインセグメントＬ1の長さは、ラインセグメントＬ1の端部点が窓フレーム４の隅部２５，２６に対してできるだけ接近し得るように、窓フレーム４の幅より僅かに大きいように決定され、ラインセグメントＬ1とライン１０において要素１の材料にに関して屈曲半径が考慮されねばならない。細長いフラップ８は窓フレーム４の下方に向かって向かい合っている側面３０に固着されかつ側辺フラップ９は、例えば爪によって、窓フレーム４が爪を受容し得る材料、例えば、木材から作られる場合に、窓フレーム４の横方向に向かい合っている側面２７の各それらのそれぞれの１つに固着される。フラップ８，９が固着されかつ要素１がかくして窓フレームに対して固定されるとき、要素１の残りの部分は屋根表面５に溶接され、要素１の下側に存在するビチューメンはガスバーナによって溶融される。
【００２４】
次いで、要素２ａおよび２ｂが取り付けられ、細長いフラップ１５は窓フレーム４の横方向に向かい合っている側面２７に固定されており、そして側辺フラップ１７は窓フレーム４の上方に向かい合っている側面２８に固着される。
【００２５】
ラインセグメントＬ1の端部点が、上述されたように、隅部２５，２６に完全に接近させられるととき、ラインセグメントＬ2の上方端部点は、細長いフラップ１５および側辺フラップ１７の両方による固着によって窓フレーム４のそれぞれの上方隅部２９に接近させられ得る。端部フラップ１６はそれぞれの隅部２５，２６のまわりに屈曲されかつそれらが、細長いフラップ８の端部においてそれにより被覆されない、下方に向かい合っている側面３０の三角形区域３１を被覆する、窓フレーム４の下方に向かい合っている側面３０に固着される。ラインセグメントＬ2の長さが窓フレーム４の横方向に向かい合っている側面２７の長さより僅かに大きいので、ラインセグメントＬ2の下方端部分はラインセグメントＬ2の隣接する端部分より屋根表面５の僅かにさらに下に位置決めされ、そしてこの方法において、ラインセグメントＬ2において要素２ａ，２ｂの表面にわたって下方に流れる水が要素１の表面を介して屋根表面５のさらに下に運ばれかつ下にある屋根構造の中に下方に運ばれない。それぞれの要素２ａ，２ｂのフラップ１５，１６，１７が窓フレーム４に固着されるとき、要素２ａ，２ｂの残りの部分は屋根表面５に溶接される。
【００２６】
最後に、要素３の細長いフラップ２１は、図５に示されるように、窓フレーム４の上方に向かい合っている側面２８に固着され、そして端部フラップ２３は隅部２９のまわらに屈曲されそしてそれらがそれによって被覆されない細長いフラップ１５の端部において三角形区域３２を被覆する、窓フレーム４の横方向に向かい合っている側面２７に固着される。次いで、要素３の残りの部分は屋根表面５に溶接される。
【００２７】
ラインセグメントＬ3の長さが窓フレーム４の幅より僅かに大きいので、ラインセグメントＬ3の端部で要素３の表面上に流れる水は、それぞれのラインセグメントＬ2の隣接する端部点より窓フレーム４の横方向に向かい合っている側面２７からさらに離れた当該要素２ａ，２ｂ上で終端し、そのためにこの水は当該要素２ａ，２ｂの表面上で下方に流れかつ下にある屋根構造に浸透しない。要素２ａ，２ｂから、水は、上述されたように、要素１を横切って、かつ屋根表面５上でさらに下方に運ばれる。要素１，２ａ，２ｂ，３の取り付け後、それ自体公知の型のレールが窓フレーム４の上方に向かい合っている縁部に取り付けられることができ、前記レールは水が、細長いフラップ８，１５，２１の上方でかつその後ろで下方に側面２７，２８，３０に沿って下方に運ばれるのを阻止する。
【００２８】
記載されたように、角度Ｖ1およびＶ21はおよそ４５°であるが、しかしそれらは単に鋭角にすべきである。しかしながら、それらは０または９０°に近づき過ぎないようにすべきである。なぜならば、最初の場合に、三角形区域３１，３２は、それぞれ、非常に長くなり、それは対応して長い端部フラップ１６，２３をそれぞれ必要とし、そして側辺フラップ９，１７は、それぞれ、非常に長くなりかつ短くされねばならず、これに反して後者の場合に側辺フラップ９，１７は、それぞれ、良好な雨押さえを保証するために同様に小さくなる。角度Ｖ22およびＶ3は平角（１８０°）である。これらの角度が略小さいならば、端部フラップ１６，２３は、それぞれ、適切な方法において三角形区域３１，３２をそれぞれ、被覆することができず、そしてそれらが実質上より大きいならば、取り付けは困難になり、しかしながら、その結果は必ずしも漏洩であるようにすべきでない。要素１，２ａ，２ｂ，３の最終寸法は重なり合いに対する要求に基づいて決定され、前記要求は通常当該屋根フェルトの製造によって条件として要求される。
【００２９】
図６は、その上方側に要素１に存在する同一の切り込みおよびラインを備えそしてその下方側に要素３に存在する同一の切り込みおよびラインを備えている要素１’を示している。この要素１’は、一方が他方の上に、ともに近接して置かれる２つの窓の間に使用され得る。
【００３０】
同様な方法において、図７は、その左方側に要素２ａに存在する同一の切り込みおよびラインを備え、かつその右方側に要素２ｂに存在する同一の切り込みおよびラインを備えている要素を示している。この要素は並んでともに近接して置かれる２つの窓の間で使用され得る。
【図面の簡単な説明】
【図１】  キット用の４つの要素を示す図である。
【図２】  屋根貫通要素の雨押さえに関連してキットの取り付けを示す、窓の下の、屋根の上方の点から見た屋根表面の窓フレームを示す斜視図である。
【図３】  屋根貫通要素の雨押さえに関連してキットの取り付けを示す、窓の下の、屋根の上方の点から見た屋根表面の窓フレームを示す斜視図である。
【図４】  屋根貫通要素の雨押さえに関連してキットの取り付けを示す、窓の上方の、屋根の上方の他の点から見た同一の窓フレームを示す斜視図である。
【図５】  屋根貫通要素の雨押さえに関連してキットの取り付けを示す、窓の上方の、屋根の上方の他の点から見た同一の窓フレームを示す斜視図である。
【図６】  組み合わされた第１および第３要素を示す図である。
【図７】  それに対して鏡面的に逆の、組み合わされた第２要素を示す図である。
【図１】
0004243018.tif 000002
【図２】
0004243018.tif 000003
【図３】
0004243018.tif 000004
【図４】
0004243018.tif 000005
【図５】
0004243018.tif 000006
【図６】
0004243018.tif 000007
【図７】
0004243018.tif 000008